(57)【要約】【課題】配管にコネクタ付きケーブルを効率的にけん引することができる。  【解決手段】コネクタ付きケーブル用けん引端部１ａは、コネクタ１１を覆うコネクタ保護部２と、光ケーブル（ケーブル）１２が挿通されて光ケーブル１２を把持するケーブルグリップ３と、ケーブルグリップ３と連続しケーブルグリップ３の先端に設けられたワイヤ取付部４（けん引索取付部）と、から構成される。コネクタ保護部２はケーブルグリップ３およびワイヤ取付部４と分離している。コネクタ１１にはコネクタ保護部２が取り付けられて、光ケーブル１２にはケーブルグリップ３が設置され、予め配管に設置されたワイヤ１３とワイヤ取付部４とを接続し、ワイヤ１３を巻き取ることで、配管に光ケーブル１２が敷設される。【選択図】図１
2010231047.tif 000002
【特許請求の範囲】
【請求項１】
先端部にコネクタが設けられたケーブルに装着されて、前記ケーブルを配管内にけん引するけん引端部であって、
前記ケーブルが挿通されて前記ケーブルを把持するケーブルグリップと、
前記ケーブルグリップと連続して設けられて、けん引索が取り付けられるけん引索取付部と、
前記コネクタを保護するコネクタ保護部と、を備えて、前記コネクタ保護部は前記ケーブルグリップおよび前記けん引索取付部と分離していることを特徴とするコネクタ付きケーブル用けん引端部。
【請求項２】
前記ケーブルグリップと前記けん引索取付部との接続部は、前記コネクタと前記ケーブルの接続部よりもけん引方向の後方に位置することを特徴とする請求項１に記載のコネクタ付きケーブル用けん引端部。
【請求項３】
前記けん引索取付部は、前記コネクタ保護部よりも前記ケーブルの軸方向に長く形成されていることを特徴とする請求項１または２に記載のコネクタ付きケーブル用けん引端部。
【請求項４】
前記ケーブルと前記ケーブルグリップとの間には、前記ケーブルの周囲を覆う緩衝材が設けられていることを特徴とする請求項１乃至３のいずれかに記載のコネクタ付きケーブル用けん引端部。
【発明の詳細な説明】
【技術分野】
【０００１】
本発明は、コネクタ付きケーブルを配管にけん引する際にコネクタ付きケーブルに装着するけん引端部に関する。
【背景技術】
【０００２】
近年、光ケーブルを伝送媒体とする光通信が普及しており、マンションやオフィスビルなどの建物内に光ケーブルを敷設する工事が行われている。
光ケーブルの敷設は、建物内に設けられた配管に予めけん引用のワイヤを挿通しておき、このワイヤと建物内に引き込まれた光ケーブルとを繋いでワイヤを巻き取ることで配管内に光ケーブルを敷設している。そして、所定の位置に敷設された光ケーブルの先端にコネクタを作成し、光コンセントへ接続している。
【０００３】
しかし、現場におけるコネクタの作成は、技術や専用工具が必要であると共に、時間がかかり施工性がよくないので、予めコネクタの作成された光ケーブルを配管内にけん引する光ケーブルの敷設が必要とされている。
特許文献１によれば、コネクタの作成されたケーブルに装着しけん引を行うケーブルコネクタ先端の牽引用保護具が提案されている。
このケーブルコネクタ先端の牽引用保護具では、ケーブル先端に設けられたコネクタを収納するコネクタ収納体（コネクタ保護部）と、コネクタ収納体の先に接続されケーブルをけん引するけん引索との間に設けられた念回防止手段と、から構成されている。コネクタ収納体は、ケーブルの先端部とコネクタとを保持し、ケーブルとコネクタとの接合部分にけん引による負荷が集中しないように保護すると共に、ケーブルとコネクタとの接合部分を防水、防塵している。また、念回防止手段は、光ケーブルのねじれを防止している。
【先行技術文献】
【特許文献】
【０００４】
【特許文献１】国際公開第９７／４２５３１号（ＷＯ９７／４２５３１）パンフレット
【発明の概要】
【発明が解決しようとする課題】
【０００５】
しかしながら、特許文献１によるケーブルコネクタ先端の牽引用保護具では、コネクタ収納体は、コネクタと共にケーブルの先端部も保持しているので、コネクタに対して大きい形状となる。そして、ケーブルを敷設する配管が細い場合や、配管にクランクがある場合には、コネクタ収納体が配管を通過できないという問題があった。また、けん引による負荷がコネクタにもかかるので、コネクタが損傷することがあった。
また、コネクタ収納体はコネクタの形状に合わせて形成されているので、多種のコネクタに対しそれぞれ専用のコネクタ収納体が必要となり生産性が悪かった。
【０００６】
本発明は、上述する問題点に鑑みてなされたもので、細い配管であってもコネクタ付きケーブルを敷設することができると共に、けん引によるコネクタの損傷を防ぐことができるコネクタ付きケーブル用けん引端部を提供することを目的とする。
【課題を解決するための手段】
【０００７】
上記目的を達成するため、本発明に係るコネクタ付きケーブル用けん引端部は、先端部にコネクタが設けられたケーブルに装着されて、ケーブルを配管内にけん引するけん引端部であって、ケーブルが挿通されてケーブルを把持するケーブルグリップと、ケーブルグリップと連続して設けられて、けん引索が取り付けられるけん引索取付部と、コネクタを保護するコネクタ保護部と、を備えて、コネクタ保護部はケーブルグリップおよびけん引索取付部と分離していることを特徴とする。
【０００８】
本発明では、けん引による引張力はけん引索取付部およびケーブルグリップに作用し、ケーブルグリップに作用する引張力によって、ケーブルグリップはケーブルを周囲から固定して把持している。
そして、コネクタ保護部はケーブルグリップおよびけん引索取付部と分離していることにより、コネクタ保護部にはけん引の引張力が作用しないので、けん引の引張力によるコネクタの破損を防ぐことができる。
また、コネクタ保護部はコネクタの防塵や防水、配管との接触による衝撃からの保護ができればよいので、けん引の引張力からコネクタを保護する従来のコネクタ保護部と比べて小型化することができる。そして、コネクタ保護部は小型化されたことにより細い配管やクランク部分であっても通過できるので、細い配管やクランクのある配管にコネクタ付きケーブルを敷設することができる。
また、ケーブルグリップによってケーブルを把持するので、異なる径のケーブルにも同一のコネクタ付きケーブル用けん引端部を使用することができる。
【０００９】
また、本発明に係るコネクタ付きケーブル用けん引端部では、ケーブルグリップとけん引索取付部との接続部は、コネクタとケーブルの接続部よりもけん引方向の後方に位置することすることが好ましい。
本発明では、ケーブルグリップとけん引索取付部との接続部は、コネクタとケーブルの接続部よりもけん引方向の後方に位置することにより、けん引によりけん引索取付部およびケーブルグリップに作用する力はコネクタ保護部に作用しないので、コネクタの破損を防ぐことができる。
【００１０】
また、本発明に係るコネクタ付きケーブル用けん引端部では、けん引索取付部は、コネクタ保護部よりもケーブルの軸方向に長く形成されていることが好ましい。
本発明では、けん引索取付部はコネクタ保護部よりもケーブルの軸方向に長く形成されていることにより、コネクタ保護部にけん引の引張力が作用することが回避でき、コネクタの損傷を防ぐことができる。
【００１１】
また、本発明に係るコネクタ付きケーブル用けん引端部では、ケーブルとケーブルグリップとの間には、ケーブルの周囲を覆う緩衝材が設けられていてもよい。
本発明では、ケーブルとケーブルグリップとの間に、ケーブルの周囲を覆う緩衝材を設けることにより、ケーブルが細い場合も緩衝材を介してケーブルグリップでケーブルを固定することができる。また、異なる径のケーブルに対しても緩衝材を設置することで同一のケーブルグリップを使用することができる。
また、ケーブルとコネクタの接続部に緩衝材の先端部を接触または近設させることにより、ケーブルとコネクタの接続部の急激な曲がりを抑制することができる。
【発明の効果】
【００１２】
本発明によれば、コネクタ保護部は、けん引索取付部およびケーブルグリップと分離していることにより、コネクタ保護部にはけん引の力が作用せず、けん引の力によるコネクタの損傷を防ぐことができると共に、コネクタ保護部の形状を小さくすることができて、細い配管であってもコネクタ付きケーブルの敷設を行うことができるので、配管内へのケーブルの敷設の施工性を向上させることができる。
【図面の簡単な説明】
【００１３】
【図１】本発明の第一の実施の形態によるコネクタ付きケーブル用けん引端部の一例を示す図である。
【図２】（ａ）は本発明の第二の実施の形態によるコネクタ付きケーブル用けん引端部の一例を示す図で、（ｂ）は（ａ）のＡ−Ａ線断面図である。
【図３】本発明の第三の実施の形態によるコネクタ付きケーブル用けん引端部の一例を示す図である。
【発明を実施するための形態】
【００１４】
以下、本発明の第一の実施の形態によるコネクタ付きケーブル用けん引端部について、図１に基づいて説明する。
図１に示すように、第一の実施の形態によるコネクタ付きケーブル用けん引端部１ａは、先端にコネクタ１１が取り付けられた光ケーブル１２を、マンションやオフィスビルなどの屋内に設けられたＣＤ（Ｃｏｍｂｉｎｅｄ  Ｄｕｃｔ）管などの配管内にけん引する部材である。けん引は図中の矢印（ア）の方向に行われる。
コネクタ付きケーブル用けん引端部１ａは、コネクタ１１を覆うコネクタ保護部２と、光ケーブル１２が挿通され光ケーブル１２を把持するケーブルグリップ３と、ケーブルグリップ３と連続し、ケーブルグリップ３の先端に設けられたワイヤ取付部４（けん引索取付部）とから概略構成される。
【００１５】
光ケーブル１２は、光ファイバーに保護被覆を施したケーブルで、主に通信回線に使用されている。光ケーブル１２の先端にはコネクタ１１が取り付けられて使用される。本実施の形態では、予め工場などでコネクタ１１が取り付けられた光ケーブル１２をけん引する。
【００１６】
コネクタ保護部２は、コネクタ１１を覆うことができ、コネクタ１１とほぼ同じ大きさのプラスチックやビニールなどで形成されたカバーである。コネクタ保護部２は、けん引時にコネクタ１１と配管との接触による衝撃や、配管内の埃や水滴などからコネクタ１１を保護するために取り付けられる。
【００１７】
ケーブルグリップ３は、例えばワイヤ状のステンレスや、糸状のポリエステル系樹脂などを格子状に編んで、所定の長さの筒状に形成された網目構造の部材である。ケーブルグリップ３は、軸方向に圧縮されると網目が径方向に広がり径が大きくなり、軸方向に引っ張られると網目が軸方向に広がり径が小さくなる構造である。
光ケーブル１２が挿通されたケーブルグリップ３は、軸方向に引っ張られることによって径が小さくなり、光ケーブル１２を外周面から締め付けるように固定する。このとき、ケーブルグリップ３が光ケーブル１２を把持する強度が２００Ｎを超えるように、ケーブルグリップ３の長さを設定することが好ましい。
また、ケーブルグリップ３は、光ケーブル１２の外周面を滑らないように、ケーブルグリップ３と光ケーブル１２との間に所定の摩擦が生じる材料で形成されることが好ましい。
【００１８】
ワイヤ取付部４は、ケーブルグリップ３の先端のケーブルグリップ３を形成するワイヤ状のステンレスや糸状のポリエステル系樹脂などと連続し、これらを束ねて環状に形成されている。ワイヤ取付部４は、けん引時にけん引用のワイヤ１３が取り付けられる部材である。けん引によってワイヤ取付部４が引っ張られると、ワイヤ取付部４と連続するケーブルグリップ３に引張力が作用する。
【００１９】
次に、上述したコネクタ付きケーブル用けん引端部１ａの光ケーブル１２への取り付け方法について説明する。
まず、ケーブルグリップ３を軸方向に圧縮して径を大きくして光ケーブル１２に被せ、ケーブルグリップ３を軸方向に引っ張って光ケーブル１２に固定する。このとき、ケーブルグリップ３とワイヤ取付部４との接続部４ａは、コネクタ１１と光ケーブル１２との接続部１２ａよりもけん引方向の後方に位置させる。また、ワイヤ取付部４の先端部４ｂは、コネクタ保護部２よりもけん引方向の前方に位置させる。
【００２０】
ケーブルグリップ３に光ケーブル１２に挿通させる際に、コネクタ１１および光ケーブル１２を筒状の取り付け工具に挿通させて、この取り付け工具の上からケーブルグリップ３を装着し、工具を取り外してケーブルグリップ３を設置してもよい。
【００２１】
そして、光ケーブル１２の先端部に取り付けられたコネクタ１１にコネクタ保護部２を設置する。
なお、コネクタ保護部２をコネクタ１１に設置した後に、ケーブルグリップ３を光ケーブル１２に設置してもよい。また、光ケーブル１２にケーブルグリップ３を設置したあとに、光ケーブル１２の先端部にコネクタ１１を作成し、コネクタ１１にコネクタ保護部２を取り付けてもよい。
ケーブルグリップ３のけん引方向後方の端部は、光ケーブル１２からの外れ防止のためにテープ５などで光ケーブル１２に固定する。また、コネクタ保護部２をワイヤ取付部４にテープなどで固定し、けん引時にワイヤ取付部４によってコネクタ１１を保持してもよい。
【００２２】
次に、上述したコネクタ付きケーブル用けん引端部１ａが取り付けられた光ケーブル１２の配管内へのけん引方法について説明する。
まず、配管内に予め挿通されたワイヤ１３をワイヤ取付部４に取り付ける。そして、配管の反対側からワイヤ１３を巻き取ることで配管内に光ケーブル１２がけん引されて敷設される。
そして、コネクタ付きケーブル用けん引端部１ａをコネクタ１１および光ケーブル１２から取り外す。なお、取り外されたコネクタ付きケーブル用けん引端部１ａは再度利用してもよい。
【００２３】
このとき、ワイヤ１３の巻取りによってワイヤ取付部４が引っ張られて、ケーブルグリップ３にも引張力が作用し、光ケーブル１２を周囲から締め付けて把持するので、光ケーブル１２をけん引することができる。また、ケーブルグリップ３は光ケーブル１２を広範囲で把持することができるので、光ケーブル１２の一点に力が集中して、光ケーブル１２が破断することを防ぐことができる。
【００２４】
また、コネクタ１１はコネクタ保護部２に保護されてケーブルグリップ３およびワイヤ取付部４と分離している共に、ケーブルグリップ３とワイヤ取付部４との接続部４ａがコネクタ１１と光ケーブル１２との接続部１２ａよりもけん引方向の後方に位置しているので、コネクタ１１およびコネクタ保護部２に、けん引時に引張力が作用せず、コネクタ１１の破損を防ぐことができる。
【００２５】
また、コネクタ保護部２には、けん引による力が作用しないので、けん引の引張力からコネクタを保護する従来のコネクタ保護部と比べて、形状を小さくすることができる。そして、コネクタ１１は小型化することができることにより、細い配管やクランクのある配管内のけん引も可能となる。
また、光ケーブル１２の先端には予めコネクタ１１が作成されているので、現場において技術と時間を要するコネクタ１１の作成を行わなくてよく、工期を短縮することができると共に光ケーブル１２の敷設工事のスキルフリー化を行うことができる。
【００２６】
上述した第一の実施の形態によるコネクタ付きケーブル用けん引端部１ａでは、コネクタ保護部２はケーブルグリップ３およびワイヤ取付部４と分離していることにより、コネクタ保護部２にけん引による引張力が作用せず、コネクタ保護部２を小型化することができるので、細い配管やクランクのある配管であってもけん引ができると共に、コネクタ１１がけん引の力によって損傷することを防ぐことができて、コネクタ１１付の光ケーブル１２の敷設の施工性を向上できる効果を奏する。
【００２７】
次に、他の実施の形態について、添付図面に基づいて説明するが、上述の第一の実施の形態と同一又は同様な部材、部分には同一の符号を用いて説明を省略し、第一の実施の形態と異なる構成について説明する。
図２（ａ）、（ｂ）に示すように、第二の実施の形態によるコネクタ付きケーブル用けん引端部１ｂでは、光ケーブル１２の周囲に緩衝材２１が設けられて、ケーブルグリップ３は緩衝材２１の上に設置される構成である。
緩衝材２１は、例えば、所定の肉厚のゴムチューブなどに、長さ方向に切れ目２１ａを入れた部材で、光ケーブル１２の周囲に設置される。緩衝材２１は、この切れ目２１ａから光ケーブル１２の周囲にはめ込まれる構造である。緩衝材２１の断面形状はコネクタ保護部２の断面形状と、ほぼ同じか、やや小さめとする。緩衝材２１の長さは光ケーブル１２を把持する長さにあわせる。
緩衝材２１は先端がコネクタ保護部２と接するように設置される。
【００２８】
第二の実施の形態によるコネクタ付きケーブル用けん引端部１ｂでは、光ケーブル１２の周囲に緩衝材２１を取り付けるので、ケーブルグリップ３に対して光ケーブル１２が細い場合にも、緩衝材２１を介して光ケーブル１２を把持し固定することができる。また、異なる径の光ケーブル１２に対しても緩衝材２１を取り付けることで、同一のコネクタ付きケーブル用けん引端部１ｂを使用することができる。また、緩衝材２１とコネクタ保護部２が接していることにより、けん引時に配管の曲がりを通過する際に、コネクタ１１と光ケーブル１２との接続部１２ａの急激な曲がりを防ぐことができる。
【００２９】
第二の実施の形態によるコネクタ付きケーブル用けん引端部１ｂでは、緩衝材２１を介してケーブルグリップ３で光ケーブル１２を把持し、けん引することができるので、第一の実施の形態によるコネクタ付きケーブル用けん引端部１ａと同様の効果を奏する。
【００３０】
図３に示す第三の実施の形態によるコネクタ付きケーブル用けん引端部１ｃでは、断面がコネクタ保護部２の断面よりも大きく形成された緩衝材３１を備えている。そして、ケーブルグリップ３は、周囲に緩衝材３１が設置された光ケーブル１２およびコネクタ保護部２の周囲に取り付けられている
コネクタ付きケーブル用けん引端部１ｃが設置された光ケーブル１２がけん引されると、ケーブルグリップ３は緩衝材３１を締め付けて固定する。このとき、コネクタ保護部２の周囲にもケーブルグリップ３が設置されているが、コネクタ保護部２は緩衝材３１よりも断面形状が小さいため、コネクタ保護部２にケーブルグリップ３による締め付け力がほとんど作用しない構成である。
【００３１】
第三の実施の形態によるコネクタ付きケーブル用けん引端部１ｃでは、緩衝材３１を介してケーブルグリップ３で光ケーブル１２を把持し、けん引することができるので、第一の実施の形態によるコネクタ付きケーブル用けん引端部１ａと同様の効果を奏する。
【００３２】
以上、本発明によるコネクタ付きケーブル用けん引端部の実施の形態について説明したが、本発明は上記の実施の形態に限定されるものではなく、その趣旨を逸脱しない範囲で適宜変更可能である。
例えば、上述した実施の形態では、コネクタ１１付きの光ケーブル１２をけん引しているが、光ケーブル１２に代わって、他のケーブルをけん引する際に本発明によるコネクタ付きケーブル用けん引端部を使用してもよい。
また、第二の実施の形態では、緩衝材２１とコネクタ保護部２とが接しているが、緩衝材２１とコネクタ保護部２とは離れていてもよい。
【符号の説明】
【００３３】
１ａ、１ｂ、１ｃ  コネクタ付きケーブル用けん引端部
２  コネクタ保護部
３  ケーブルグリップ
４  ワイヤ取付部（けん引索端部）
４ａ  接続部
１１  コネクタ
１２  光ケーブル（ケーブル）
２１、３１  緩衝材
【図１】
2010231047.tif 000003
【図２】
2010231047.tif 000004
【図３】
2010231047.tif 000005